(57)【要約】【課題】中継基板上のコネクタ同士の接続を解除されて不正が行われる虞を低減可能な遊技機を提供する。【解決手段】中継基板２５の後方を覆う閉鎖状態から回動することにより開放状態になる中継基板カバー部材４１を備え、リード線２７が挿通される挿通孔４７が、中継基板カバー部材４１の閉鎖状態では、周縁部の全部が閉鎖されるとともにリード線付きコネクタ２８が通過不能な大きさに形成され、中継基板カバー部材４１の開放状態では、周縁部の一部が開放されるように構成されて、制御基板ケース３０に制御基板２０を収納するとともに中継基板カバー部材４１を閉鎖状態として、制御基板側コネクタ２０ａと中継基板側コネクタ２５ａとを接続すると、制御基板ケース３０により中継基板カバー部材４１の回動が妨げられる遊技機。【選択図】図７
2010207398.tif 000002
【特許請求の範囲】
【請求項１】
制御基板側コネクタが設けられた制御基板と、
前記制御基板が収納され遊技盤裏部材に取外し可能に固定される制御基板ケースと、
前記制御基板側コネクタに接続される中継基板側コネクタとリード線付きコネクタが接続されるリード線接続用コネクタとが設けられた中継基板と、
前記中継基板の後方を覆う閉鎖状態から回動またはスライドすることにより開放状態になるように構成された中継基板カバー部材と、
を備え、
前記リード線付きコネクタのリード線が挿通される挿通孔が、前記中継基板カバー部材の閉鎖状態では、前記中継基板カバー部材と、前記中継基板カバー部材が当接または重合する壁部とにより、周縁部の全部が閉鎖されるとともに前記リード線付きコネクタが通過不能な大きさに形成され、
前記挿通孔は、前記中継基板カバー部材の開放状態では、周縁部の一部が開放されるか、若しくは、前記リード線付きコネクタが通過可能な大きさに拡大され、
前記制御基板ケースに前記制御基板を収納するとともに前記中継基板カバー部材を閉鎖状態として、前記制御基板側コネクタと前記中継基板側コネクタとを接続すると、前記制御基板ケースにより、前記中継基板カバー部材を開放状態にするための回動またはスライド動作が妨げられるように構成されたことを特徴とする遊技機。
【発明の詳細な説明】
【技術分野】
【０００１】
本発明は、パチンコ遊技機やスロットマシン等の遊技機に関し、特に、主制御基板と周辺基板や周辺機器との間の信号を中継する中継基板を有した遊技機に関する。
【背景技術】
【０００２】
下記特許文献１には、中継基板に設けられたコネクタと主制御基板に設けられたコネクタとを直接接続することにより、中継基板と主制御基板との間の配線を無くして不正部品の取付けを防止するとともに、中継基板とセンサとを接続するときは、センサに接続されたリード線を遊技裏面構成部材に埋設して、そのリード線の先端に設けられたコネクタと中継基板に設けられたコネクタとを接続することにより、リード線を用いた不正を防止しようとする遊技機が記載されている（同文献の段落００４４〜００４９、図７〜１０参照）。
【先行技術文献】
【特許文献】
【０００３】
【特許文献１】特開２００８−２００１６６号公報
【発明の概要】
【発明が解決しようとする課題】
【０００４】
しかし、上記特許文献１記載の遊技機では、中継基板が露出しているため、中継基板のコネクタとリード線先端のコネクタとの接続を解除して不正部品を接続されてしまう虞があった。
【０００５】
本発明は、中継基板上のコネクタ同士の接続を解除されて不正が行われる虞を低減可能な遊技機を提供することを目的とする。
【課題を解決するための手段】
【０００６】
本発明の遊技機は、制御基板側コネクタが設けられた制御基板と、前記制御基板が収納され遊技盤裏部材に取外し可能に固定される制御基板ケースと、前記制御基板側コネクタに接続される中継基板側コネクタとリード線付きコネクタが接続されるリード線接続用コネクタとが設けられた中継基板と、前記中継基板の後方を覆う閉鎖状態から回動またはスライドすることにより開放状態になるように構成された中継基板カバー部材と、を備え、前記リード線付きコネクタのリード線が挿通される挿通孔が、前記中継基板カバー部材の閉鎖状態では、前記中継基板カバー部材と、前記中継基板カバー部材が当接または重合する壁部とにより、周縁部の全部が閉鎖されるとともに前記リード線付きコネクタが通過不能な大きさに形成され、前記挿通孔は、前記中継基板カバー部材の開放状態では、周縁部の一部が開放されるか、若しくは、前記リード線付きコネクタが通過可能な大きさに拡大され、前記制御基板ケースに前記制御基板を収納するとともに前記中継基板カバー部材を閉鎖状態として、前記制御基板側コネクタと前記中継基板側コネクタとを接続すると、前記制御基板ケースにより、前記中継基板カバー部材を開放状態にするための回動またはスライド動作が妨げられるように構成されたことを特徴とする。
【発明の効果】
【０００７】
本発明の遊技機によれば、制御基板ケースにより中継基板カバー部材を開放状態にするための回動またはスライド動作が妨げられるので、中継基板カバー部材が開放状態にならなくなり、中継基板が中継基板カバー部材で覆われた状態を保つとともに、リード線を引っ張ってリード線付きコネクタを抜いたとしても、そのリード線付きコネクタは挿通孔を通過できないため、中継基板上のコネクタ同士の接続を解除されて不正が行われる虞を低減可能である。
【図面の簡単な説明】
【０００８】
【図１】第１〜３実施形態に係るパチンコ遊技機の正面図である。
【図２】第１実施形態に係る遊技盤の背面図である。
【図３】第１〜３実施形態に係る電気系統のブロック図である。
【図４】第１実施形態に係る中継基板カバー部材を開放した中継基板ケースの斜視図である。
【図５】第１実施形態に係る中継基板カバー部材を閉鎖した中継基板ケースの斜視図である。
【図６】第１実施形態に係る制御基板及び中継基板の接続前の斜視図である。
【図７】第１実施形態に係る制御基板及び中継基板の接続後の斜視図である。
【図８】図７のVIII-VIII部位要部断面図である。
【図９】第２実施形態に係る制御基板及び中継基板の接続前の斜視図である。
【図１０】第２実施形態に係る制御基板及び中継基板の接続後の斜視図である。
【図１１】図１０のXI-XI部位要部断面図である。
【図１２】第２実施形態の変形例の斜視図である。
【図１３】第２実施形態の他の変形例を示す図であり、(a)は中継基板カバー部材の開放状態、(b)は閉鎖状態を示す。
【図１４】第２実施形態の更に他の変形例を示す図であり、(a)は中継基板カバー部材の開放状態、(b)は閉鎖状態を示す。
【図１５】第３実施形態に係る中継基板カバー部材を開放した中継基板ケースの斜視図である。
【図１６】(a)は第３実施形態に係る中継基板カバー部材を途中まで開放した中継基板ケース、(b)は同中継基板ケース部材を閉鎖した中継基板ケースの斜視図である。
【図１７】第３実施形態に係る制御基板及び中継基板の接続前の斜視図である。
【図１８】第３実施形態に係る制御基板及び中継基板の接続後の斜視図である。
【図１９】図１８のXIX-XIX部位要部断面図である。
【発明を実施するための形態】
【０００９】
本発明の第１実施形態のパチンコ遊技機について図１〜８に基づいて説明する。
【００１０】
図１に示すように、第１実施形態のパチンコ遊技機は、枠ランプ１７及びスピーカ１８が配設された前面枠１０と、前面枠１０の内側に配設された遊技盤１とを備え、遊技盤１には遊技球が流下する遊技領域２が形成されている。遊技領域２には、中央部に画像表示器３が配設され、画像表示器３の下方には、電動チューリップ５を備えた始動入賞装置４が配設され、始動入賞装置４の下方には、大入賞装置７が配設されている。また、遊技領域２には、ゲート８、普通入賞装置９、可動役物６、及び、盤ランプ１９が配設されている。遊技領域２の外側には、普通図柄表示器１３、特別図柄表示器１４、普通図柄保留ランプ１５、及び、特別図柄保留ランプ１６が配設されている。
【００１１】
また、図２に示すように、遊技盤１の後面には、遊技盤１の裏側の各種の機構を覆うための遊技盤裏部材１１が取着され、遊技盤裏部材１１には、主制御基板２０を収納する制御基板ケース３０と、主制御基板２０に接続された中継基板２５を収納する中継基板ケース４０とが取着されている。
【００１２】
図３に示すように、実施形態のパチンコ遊技機の電気系統は、主制御基板２０、払出制御基板２１、演出制御基板２２、画像制御基板２３、ランプ制御基板２４、及び、中継基板２５を備えている。主制御基板２０には、払出制御基板２１が接続されるとともに、中継基板２５を介して演出制御基板２２が接続されている。演出制御基板２２には、画像制御基板２３及びランプ制御基板２４が接続され、画像制御基板２３には、画像表示器３及びスピーカ１８が接続され、ランプ制御基板２４には、枠ランプ１７、盤ランプ１９、及び、可動役物６が接続されている。払出制御基板２１には、払出装置（図示せず。）を駆動する払出駆動モータ２６が接続されている。
【００１３】
また、主制御基板２０には、中継基板２５を介して、始動入賞装置４に設けられた始動口ＳＷ（スイッチ）４ａ、電動チューリップ５を作動させる電チューソレノイド５ａ、ゲート８に設けられたゲートＳＷ８ａ、大入賞装置７に設けられた大入賞口ＳＷ７ａ、大入賞装置７を作動させる大入賞口ソレノイド７ｂ、普通入賞装置９に設けられた普通入賞口ＳＷ９ａ、特別図柄保留ランプ１６、普通図柄保留ランプ１５、特別図柄表示器１４、及び、普通図柄表示器１３がそれぞれ接続されている。
【００１４】
図４に示すように、中継基板２５には、下端部に複数の中継基板側コネクタ２５ａ（以下、「コネクタ２５ａ」と略す。）が配設され、上端部に複数のリード線接続用コネクタ２５ｂ（以下、「コネクタ２５ｂ」と略す。）が配設されている。コネクタ２５ａは、主制御基板２０に設けられた制御基板側コネクタ２０ａ（以下、「コネクタ２０ａ」と略す。）（図６参照）を挿入可能な開口部を有し、その開口部を下方に向けて配設されている。コネクタ２５ｂは、リード線２７が接続されたリード線付きコネクタ２８（以下、「コネクタ２８」と略す。）を挿入可能な開口部を有し、その開口部を後方に向けて配設されている。コネクタ２８は、上述した各種のスイッチ、ソレノイド、ランプ等や演出制御基板２２と中継基板２５とを接続するためのものである。
【００１５】
なお、図４等に示すように、本明細書において前後方向、上下方向とは、主制御基板２０、中継基板２５等を装着した遊技盤１を使用時のように立てた状態における前後方向（なお、遊技領域２側を前、その反対側を後とする。）、上下方向をそれぞれいうものとする。
【００１６】
中継基板ケース４０は、合成樹脂製で、内部には中継基板２５が収納され、中継基板２５の後方を覆うための中継基板カバー部材（以下、「カバー部材」と略す。）４１と、側壁部４２、４２と、上壁部４３と、前壁部４４とを備えて、下方が開放された略箱体状に形成されている。側壁部４２、４２は、カバー部材４１を回動可能に支持する支持部材に相当する。側壁部４２、４２の前後方向の長さは、制御基板ケース３０の前後方向の長さよりも、カバー部材４１の厚み分長くされている。
【００１７】
カバー部材４１は、略平板状をなし、両側部に回動軸４５、４５が突設されて、回動軸４５、４５が側壁部４２、４２に形成された軸支孔４６、４６に挿入されることにより、側壁部４２、４２に回動可能に支持され、中継基板２５の後方を覆う閉鎖状態（図５参照）から、上端部（一端部）４８が後方に下端部（他端部）４９が前方に回動することにより開放状態になる（図４参照）。カバー部材４１の上下方向の長さは、側壁部４２、４２の上下方向の長さよりも長くされて、カバー部材４１は側壁部４２、４２より下方に突出している。
【００１８】
カバー部材４１の上端部４８には、各コネクタ２５ｂの開口部に対向する位置に、それぞれ挿通孔４７が形成され、各挿通孔４７は、図５に示すように、カバー部材４１を閉鎖状態としたときには、カバー部材４１とカバー部材４１が当接する上壁部４３とにより、周縁部の全部（全周）が閉鎖される（すなわち、周縁部の全部に欠落が無い状態となる）とともにコネクタ２８が通過不能な大きさに形成される。また、各挿通孔４７は、図４に示すように、カバー部材４１を開放状態としたときには、周縁部の一部（具体的には、上部）４７ａが開放される（すなわち、周縁部の一部４７ａが欠落した状態となる）。
【００１９】
中継基板２５を収納した中継基板ケース４０を遊技盤裏部材１１に取着するときは、まず、カバー部材４１を開放状態として、各コネクタ２５ｂにコネクタ２８を接続する。具体的には、各コネクタ２５ｂの開口部にコネクタ２８を挿入する。そして、各リード線２７を各挿通孔４７の周縁部の開放部分すなわち一部４７ａから各挿通孔４７に挿入して、カバー部材４１を閉鎖状態とする。すると、図５に示すように、各挿通孔４７にリード線２７が挿通された状態となる。
【００２０】
そして、図６に示すように、各コネクタ２５ａに、主制御基板２０に設けられたコネクタ２０ａを接続する。具体的には、各コネクタ２５ａの開口部にコネクタ２０ａを挿入する。なお、主制御基板２０は、合成樹脂製の略箱体状の制御基板ケース３０内に収納されているが、コネクタ２０ａの部分は外部に突出している。これにより、主制御基板２０と中継基板２５とが接続されるとともに、制御基板ケース３０と中継基板ケース４０とが接続される。
【００２１】
以上のように制御基板ケース３０と中継基板ケース４０とを接続すると、図７、８に示すように、カバー部材４１の下端部４９の前方に（ここでは、カバー部材４１の前面に接するように）制御基板ケース３０が配置されて、下端部４９を前方へ回動しようとしても制御基板ケース３０にぶつかって回動が妨げられるので、カバー部材４１が開放状態にならなくなり、中継基板２５がカバー部材４１で覆われた状態を保つこととなる。そしてかかる状態では、リード線２７を引っ張ってコネクタ２８を抜いたとしても、コネクタ２８が挿通孔４７を通過できないため、コネクタ２５ｂとコネクタ２８との接続を解除されて不正な基板を取り付けられる等の不正が行われる虞が低減する。
【００２２】
また、第１実施形態のようにコネクタ２５ａの開口部を後方に向ければ、遊技盤１の後方から配線作業する作業者にとって、作業性がよい。
【００２３】
なお、制御基板ケース３０は、両側部に弾性変形する係止部（図示せず。）を有しており、遊技盤裏部材１１に設けられたレール部（図示せず。）に沿って制御基板ケース３０を上方向にスライドさせ、レール部に設けられた被係止部に制御基板ケース３０の係止部を係止することにより、取外し可能に遊技盤裏部材１１に固定される（図３参照）。そして、制御基板ケース３０を遊技盤裏部材１１に固定することにより、上述したように制御基板ケース３０に接続された中継基板ケース４０も、遊技盤裏部材１１に取着されることとなるが、勿論、中継基板ケース４０自体に例えば弾性変形する係止部を設けて、その係止部を遊技盤裏部材１１に設けられた被係止部に係止することにより、中継基板ケース４０を遊技盤裏部材１１に取着するようにしてもよい。
【００２４】
また、必ずしも、カバー部材４１の上下方向の長さを、側壁部４２、４２から下方に突出する長さにする必要は無く、下方に突出しない長さとした場合であっても、主制御基板２０と中継基板２５とを接続したときに、制御基板ケース３０の上端部がカバー部材４１の前方に位置する（望ましくは、カバー部材４１の前面に接する）ように構成すれば、制御基板ケース３０がカバー部材４１の回動を妨げるように構成できる。
【００２５】
次に、本発明の第２実施形態のパチンコ遊技機について、図９〜１１に基づいて説明する。なお、第１実施形態のパチンコ遊技機の構成要素と同じ構成要素については同じ符号を用いて、その説明を適宜省略する。
【００２６】
第２実施形態では、図９に示すように、中継基板ケース５０は、合成樹脂製で、中継基板２５の後方を覆うためのカバー部材５１と、側壁部５２、５２と、上壁部５３と、前壁部５４とを備えて、下方が開放された略箱体状に形成されている。側壁部５２、５２は、カバー部材５１を回動可能に支持する支持部材に相当する。側壁部５２、５２の前後方向の長さは、制御基板ケース３０の前後方向の長さよりも、カバー部材５１の厚み分長くされている。上壁部５３は、前後方向の長さが、カバー部材５１の上壁部５１ｂの長さ分、第１実施形態の上壁部４３よりも短く形成されている。
【００２７】
カバー部材５１は、後壁部５１ａと後壁部５１ａの上端から前方に延設された上壁部５１ｂとを有して、縦断面がＬ字形状をなし、両側部に回動軸５５、５５が突設されて、それらが側壁部５２、５２に形成された軸支孔５６、５６に挿入されることにより、側壁部５２、５２に回動可能に支持され、中継基板２５の後方を覆う閉鎖状態から、上端部５８が後方に下端部５９が前方に回動することにより開放状態になる。カバー部材５１の上下方向の長さは、側壁部５２、５２の上下方向の長さよりも長くされて、カバー部材５１は側壁部５２、５２よりも下方に突出している。
【００２８】
第２実施形態の中継基板２５には、コネクタ２５ｂがそれぞれ開口部を上方に向けて配設されており、カバー部材５１の上壁部５１ｂの前端部には、各コネクタ２５ｂの開口部に対向する位置に、それぞれ挿通孔５７が形成され、各挿通孔５７は、図１０に示すように、カバー部材５１を閉鎖状態としたときには、カバー部材５１とカバー部材５１が当接する上壁部５３とにより、周縁部の全部が閉鎖されるとともにコネクタ２８が通過不能な大きさに形成される。また、各挿通孔５７は、図９に示すように、カバー部材５１を開放状態としたときには、周縁部の一部（具体的には、前部）が開放される。
【００２９】
なお、第２実施形態において、上述した部分以外の部分は、第１実施形態と同じ構成とされている。
【００３０】
第２実施形態において、中継基板２５を収納した中継基板ケース５０を遊技盤裏部材１１に取着するときは、まず、図９に示すように、カバー部材５１を開放状態として、各コネクタ２５ｂにコネクタ２８を接続する。そして、各リード線２７を各挿通孔５７の周縁部の開放部分から各挿通孔５７に挿入して、カバー部材５１を閉鎖状態とする。次に、各コネクタ２５ａに主制御基板２０のコネクタ２０ａを接続することにより、中継基板２５に主制御基板２０を接続する。
【００３１】
すると、図１０、１１に示すように、カバー部材５１の下端部５９の前方に（ここでは、カバー部材５１の前面に接するように）制御基板ケース３０が配置されて、下端部５９の前方への回動が妨げられるので、カバー部材５１が開放状態にならなくなり、中継基板２５がカバー部材５１で覆われた状態を保つこととなる。そしてかかる状態では、リード線２７を引っ張ってコネクタ２８を抜いたとしても、コネクタ２８が挿通孔５７を通過できないため、コネクタ２５ｂとコネクタ２８との接続を解除されて不正な基板を取り付けられる等の不正が行われる虞が低減する。
【００３２】
なお、図１２は第２実施形態の変形例であり、図１２のように、側壁部５２、５２を略Ｌ字形状として、中継基板ケース５０の側方を開放するようにしてもよい。
【００３３】
また、上壁部５３を無くして、カバー部材５１の上壁部５１ｂを前方に延長し、それに応じて挿通孔５７も前方に延長して、上壁部５１ｂの前端が遊技盤裏部材１１に直接当接するような構成、すなわち、カバー部材５１が当接する壁部が遊技盤裏部材１１の一部であるような構成とすることもできる。
【００３４】
また、図１３は、第２実施形態の他の変形例を示す図であり、中継基板ケース５０の上壁部５３及びカバー部材５１の上壁部５１ｂのみを示すとともに、(a)はカバー部材５１の開放状態を、(b)は閉鎖状態を示すものである。この例では、上壁部５３と上壁部５１ｂとは重合するように構成され、(a)に示すように、カバー部材５１の開放状態では、挿通孔５７の周縁部の一部が開放されているが、(b)に示すように、カバー部材５１の閉鎖状態では、上壁部５１ｂは上壁部５３の上に重なって、挿通孔５７の周縁部の全部が閉鎖され、図の網掛け部分に示す挿通孔５７の開口部分は、コネクタ２８が通過不能な大きさに形成される。
【００３５】
また、図１４は、第２実施形態の更に他の変形例を示す図であり、図１３と同様に、中継基板ケース５０の上壁部５３及びカバー部材５１の上壁部５１ｂのみを示すとともに、(a)はカバー部材５１の開放状態を、(b)は閉鎖状態を示すものである。この例では、上壁部５３と上壁部５１ｂとは重合するように構成され、(a)に示すように、カバー部材５１の開放状態では、挿通孔５７はコネクタ２８が通過可能な大きさとされるが、(b)に示すように、カバー部材５１の閉鎖状態では、上壁部５１ｂは上壁部５３の上に重なって、挿通孔５７はコネクタ２８が通過不能な大きさに縮小される。換言すれば、カバー部材５１の開放状態では、挿通孔５７はコネクタ２８が通過可能な大きさに拡大される。なお、図１４の網掛け部分は、挿通孔５７の開口部分を示す。
【００３６】
次に、本発明の第３実施形態のパチンコ遊技機について、図１５〜１９に基づいて説明する。なお、第１実施形態のパチンコ遊技機の構成要素と同じ構成要素については同じ符号を用いて、その説明を適宜省略する。
【００３７】
第３実施形態では、中継基板ケース６０は、合成樹脂製で、図１５、１６に示すように、中継基板２５の後方を覆うための中継基板カバー部材６１と、側壁部６２、６２と、上壁部６３と、前壁部６４とを備えて、下方が開放された略箱体状に形成されている。側壁部６２、６２は、カバー部材６１を摺動（スライド）可能に支持する支持部材に相当する。
【００３８】
カバー部材６１は、後壁部６１ａと後壁部６１ａの下端から前方に延設された下壁部６１ｂとを有して、縦断面がＬ字形状をなし、図１６(a)に示すように、後壁部６１ａの両側端部が側壁部６２、６２にそれぞれ設けられたレール溝６６に嵌合されることにより、側壁部６２、６２に摺動可能に支持され、中継基板２５の後方を覆う閉鎖状態から下方にスライドすることにより開放状態になる。カバー部材６１の上下方向の長さは、図１６(b)に示すように、閉鎖状態においてカバー部材６１の下端部が側壁部６２、６２の下端部と略同一位置となるような長さとされている。
【００３９】
第３実施形態の中継基板２５には、第１実施形態と同様に、コネクタ２５ｂがそれぞれ開口部を後方に向けて配設されており、カバー部材６１の後壁部６１ａの上端部には、各コネクタ２５ｂの開口部に対向する位置に、それぞれ挿通孔６７が形成され、各挿通孔６７は、図１６(b)に示すように、カバー部材６１を閉鎖状態としたときには、カバー部材６１とカバー部材６１が当接する上壁部６３とにより、周縁部の全部が閉鎖されるとともにコネクタ２８が通過不能な大きさに形成される。また、各挿通孔６７は、図１６(a)に示すように、カバー部材６１を開放状態としたときには、周縁部の一部（具体的には、上部）が開放される。
【００４０】
なお、第３実施形態において、上述した部分以外の部分は、第１実施形態と同じ構成とされている。
【００４１】
第３実施形態において、中継基板２５を収納した中継基板ケース６０を遊技盤裏部材１１に取着するときは、まず、図１５に示すように、カバー部材６１を開放状態として、各コネクタ２５ｂにコネクタ２８を接続し、図１６(a)に示すように、各レール溝６６にカバー部材６１の後壁部６１ａの両側端部を嵌合して、カバー部材６１を上方にスライドさせる。そして、図１６(b)に示すように、各リード線２７が各挿通孔６７に挿通されるようにして、カバー部材６１を閉鎖状態とする。次に、図１７に示すように、各コネクタ２５ａに主制御基板２０のコネクタ２０ａを接続することにより、中継基板２５と主制御基板２０とを接続する。
【００４２】
すると、図１８、１９に示すように、カバー部材６１の下壁部６１ｂの下方に制御基板ケース３０が配置されて、カバー部材６１の下方へのスライド動作が妨げられるので、カバー部材６１が開放状態にならなくなり、中継基板２５がカバー部材６１で覆われた状態を保つこととなる。そしてかかる状態では、リード線２７を引っ張ってコネクタ２８を抜いたとしても、コネクタ２８が挿通孔６７を通過できないため、コネクタ２５ｂとコネクタ２８との接続を解除されて不正な基板を取り付けられる等の不正が行われる虞が低減する。
【００４３】
なお、カバー部材６１の後壁部６１ａの両側端部に弾性変形する係止部を設けるとともに、その係止部が係止される被係止部を各レール溝６６に設け、カバー部材６１を閉鎖状態としたときに各係止部が被係止部に係止されることにより、制御基板ケース３０を中継基板ケース６０に接続する前にカバー部材６１が自重で下方にスライドしてしまうことを防止するように構成してもよい。
【００４４】
また、カバー部材６１は必ずしも断面Ｌ字形状とする必要は無く、例えば平板状として、カバー部材６１を閉鎖状態として制御基板ケース３０を接続すると、カバー部材６１の下端部が制御基板ケース３０に当接することにより、カバー部材６１の下方へのスライド動作が妨げられるように構成してもよい。
【符号の説明】
【００４５】
１１…遊技盤裏部材
２０…主制御基板
２０ａ…制御基板側コネクタ
２５…中継基板
２５ａ…中継基板側コネクタ
２５ｂ…リード線接続用コネクタ
２７…リード線
２８…リード線付きコネクタ
３０…制御基板ケース
４１、５１、６１…中継基板カバー部材
４３、５３、６３…上壁部
４７、５７、６７…挿通孔
【図１】
2010207398.tif 000003
【図２】
2010207398.tif 000004
【図３】
2010207398.tif 000005
【図４】
2010207398.tif 000006
【図５】
2010207398.tif 000007
【図６】
2010207398.tif 000008
【図７】
2010207398.tif 000009
【図８】
2010207398.tif 000010
【図９】
2010207398.tif 000011
【図１０】
2010207398.tif 000012
【図１１】
2010207398.tif 000013
【図１２】
2010207398.tif 000014
【図１３】
2010207398.tif 000015
【図１４】
2010207398.tif 000016
【図１５】
2010207398.tif 000017
【図１６】
2010207398.tif 000018
【図１７】
2010207398.tif 000019
【図１８】
2010207398.tif 000020
【図１９】
2010207398.tif 000021